(57)【要約】【課題】既設のショーケース等へ簡便に照明装置を脱着できるとともに、取付状態で確実に展示物品を照らすことができるショーケースへの照明装置の取付構造を提供する。【解決手段】ショーケース６０内に横方向に陳列された展示物品Ｍに光をあてて照らす照明装置の取付構造であって、光源となる複数の発光ダイオード１６を横長方向に列状に基板１７に配置し、それぞれの発光ダイオード１６の光を展示物品Ｍ側に向けて指向させつつ照射させる一方向に長い光源ユニット１２と、ショーケース６０に対して外付け着脱可能に取り付けられるとともに、光源ユニット１２の照射方向Ｒを展示物品Ｍ側に向けた状態で該光源ユニット１２を着脱可能に保持する保持体１４と、を有することを特徴とするショーケースへの照明装置の取付構造１０から構成される。【選択図】図２
0003125239.tif 000002
【実用新案登録請求の範囲】
【請求項１】
ショーケース内に横方向に陳列された展示物品に光をあてて照らす照明装置の取付構造であって、
光源となる複数の発光ダイオードを横長方向に列状に基板に配置し、それぞれの発光ダイオードの光を展示物品側に向けて指向させつつ照射させる一方向に長い光源ユニットと、
ショーケースに対して外付け着脱可能に取り付けられるとともに、光源ユニットの照射方向を展示物品側に向けた状態で該光源ユニットを着脱可能に保持する保持体と、を有することを特徴とするショーケースへの照明装置の取付構造。
【請求項２】
保持体は、光源ユニットのカバー部と、ショーケースに対して外付け着脱可能な取付部と、を有し、
カバー部は、少なくとも一端側に挿入開口を有し、かつ一つの面側に透光部を設けた筒状体からなり、
さらに、カバー部は挿入開口を介して光源ユニットを長手方向に沿って挿入させる際に光源ユニットを長手方向に移動案内する移動案内部を含み、
任意の移動案内位置で光源ユニットが透光部から照射する状態で保持されることを特徴とする請求項１記載のショーケースへの照明装置の取付構造。
【請求項３】
保持体は、ショーケースに設けられている横長の枠杆に対して平行状に近接離間させることにより該ショーケースに対して脱着するように構成されたことを特徴とする請求項１又は２記載のショーケースへの照明装置の取付構造。
【請求項４】
取付部は、ショーケースの横長の枠杆に対する平行状の近接離間操作により嵌合する開口を有することを特徴とする請求項２又は３記載のショーケースへの照明装置の取付構造。
【請求項５】
取付部とカバー部とが一体的に連結して設けられたことを特徴とする請求項２ないし４のいずれかに記載のショーケースへの照明装置の取付構造。
【請求項６】
カバー部は、一つの面側に透光部を含む縦断面略平行四辺形状枠体からなることを特徴とする請求項２ないし５のいずれかに記載のショーケースへの照明装置の取付構造。
【請求項７】
取付部は、ショーケースに対して上方側から嵌着状に掛止されるフック部材からなることを特徴とする請求項２ないし６のいずれかに記載のショーケースへの照明装置の取付構造。
【考案の詳細な説明】
【技術分野】
【０００１】
本考案は、店頭において商品等の展示物品を陳列するショーケースへの照明装置の取付構造に関する。
【背景技術】
【０００２】
店頭で種々の商品を陳列する際には、それらの商品を目立たせ、ひいては消費者の購買意欲を増進させるなどのために商品に光を当てて照らす場合が多い。従来、商品を陳列するショーケース等に照明装置を取り付ける技術が多数提案されており、例えば、特許文献１には、棚板が複数段配置されたショーケースにおいて、各棚段（９）の下面側の前縁部に沿って蛍光灯（１０）が固定されており、各段及びその上の商品を照らすものが開示されている。
【特許文献１】特開２００２−１５７４６９号公報
【考案の開示】
【考案が解決しようとする課題】
【０００３】
しかしながら、特許文献１では、ショーケースの各棚板と蛍光灯の保持具とが一体的に設けられている構成であるから、棚板自体の構成が特殊であり、例えば既設のショーケースに簡単に照明を取り付け、取り外しを行うことが困難なものであった。さらに、照明が蛍光灯であるので、光は放射状に広がり前方側に光が漏れるため、商品を確実、効果的に照らしたり、前に立った人の目を保護するためには、蛍光灯の保持具とは別途に反射器や遮蔽板を設ける必要がある。したがって、取付構造が複雑なものとなり、製造コストも高くなりがちであった。また、蛍光灯は、比較的高温の熱が発生するため、商品の変質、劣化等の問題があるとともに、蛍光灯自体の大きさも比較的大きい。よって、ショーケースの各棚段の間隔が狭い場合には蛍光灯を取付けることができず、商品の有効な照明ができなくなり実用性が劣るものであった。また、消費電力も大きく、運用コストが高い等の問題があった。
【０００４】
本考案は、上記従来の課題に鑑みてなされたものであり、その一つの目的は、既設のショーケース等へ簡便に照明装置を脱着できるとともに、取付状態で確実に展示物品を照らすことができるショーケースへの照明装置の取付構造を提供することにある。さらに、他の目的は、低電力、コンパクトで熱の発生の少ない照明装置を簡単な構造で取付けできるショーケースへの照明装置の取付構造を提供することにある。
【課題を解決するための手段】
【０００５】
上記課題を解決するために、本発明は、ショーケース６０内に横方向に陳列された展示物品Ｍに光をあてて照らす照明装置の取付構造であって、光源となる複数の発光ダイオード１６を横長方向に列状に基板１７に配置し、それぞれの発光ダイオード１６の光を展示物品Ｍ側に向けて指向させつつ照射させる一方向に長い光源ユニット１２と、ショーケース６０に対して外付け着脱可能に取り付けられるとともに、光源ユニット１２の照射方向Ｒを展示物品Ｍ側に向けた状態で該光源ユニット１２を着脱可能に保持する保持体１４と、を有することを特徴とするショーケースへの照明装置の取付構造１０から構成される。
【０００６】
また、保持体１４は、光源ユニット１２のカバー部２２と、ショーケース６０に対して外付け着脱可能な取付部２４と、を有し、カバー部２２は、少なくとも一端側に挿入開口２６を有し、かつ一つの面側（３４）に透光部２８を設けた筒状体からなり、さらに、カバー部２２は挿入開口２６を介して光源ユニット１２を長手方向に沿って挿入させる際に光源ユニット１２を長手方向に移動案内する移動案内部３０を含み、任意の移動案内位置で光源ユニット１２が透光部２８から照射する状態で保持されることとしてもよい。なお、カバー部２２の透光部２８は、カバー部２２本体の一つの面に切欠、開口を設けたり、カバー部２２の一部を透明素材で形成したりすることにより形成してもよい。
【０００７】
また、保持体１４は、ショーケース６０に設けられている横長の枠杆６６に対して平行状に近接離間させることにより該ショーケース６０に対して脱着するように構成されたこととしてもよい。
【０００８】
また、取付部２４は、ショーケース６０の横長の枠杆６６に対する平行状の近接離間操作により嵌合する開口４４を有することとしてもよい。
【０００９】
また、取付部２４とカバー部２２とが一体的に連結して設けられたこととしてもよい。
【００１０】
また、カバー部２２は、一つの面側（３４）に透光部２８を含む縦断面略平行四辺形状枠体からなることとしてもよい。
【００１１】
また、取付部２４は、ショーケース６０に対して上方側から嵌着状に掛止されるフック部材４２からなることとしてもよい。
【考案の効果】
【００１２】
本発明のショーケースへの照明装置の取付構造によれば、ショーケース内に横方向に陳列された展示物品に光をあてて照らす照明装置の取付構造であって、光源となる複数の発光ダイオードを横長方向に列状に基板に配置し、それぞれの発光ダイオードの光を展示物品側に向けて指向させつつ照射させる一方向に長い光源ユニットと、ショーケースに対して外付け着脱可能に取り付けられるとともに、光源ユニットの照射方向を展示物品側に向けた状態で該光源ユニットを着脱可能に保持する保持体と、を有することから、例えば、既設のショーケース等にも外付け着脱させて、簡便に取り付けることができる。特に、ショーケースへの取付けと同時に光源ユニットの照射方向を展示物品側に向けた状態で着脱可能に保持されるので、光源ユニットの照射方向の煩雑な微調整を不要とし、省力、短時間でスムーズに取付作業を行えるとともに、取付た状態では確実かつ効果的に展示物品を照らすことができる。また、必要に応じて簡便に離脱させることができるので、例えば、部材交換や発光色の異なる照明への変換、埃の清掃、メンテナンス等を簡単かつ円滑に行なえる。また、発光ダイオードを光源とすることにより、コンパクト化した照明装置を構成できるとともに、熱の発生が少なく食品に資金位置でも品質に影響を与えない、明るく照らせる、消費電力も低い上、寿命も長い。よって、例えば、狭いスペースにも適用できたり、展示物品を近づけた状態配置できる等適用場面が限定されにくいと同時に、メンテナンスが殆ど不要で、運用コストも低廉に抑えることができるので、実用性に優れる。
【００１３】
また、保持体は、光源ユニットのカバー部と、ショーケースに対して外付け着脱可能な取付部と、を有し、カバー部は、少なくとも一端側に挿入開口を有し、かつ一つの面側に透光部を設けた筒状体からなり、さらに、カバー部は挿入開口を介して光源ユニットを長手方向に沿って挿入させる際に光源ユニットを長手方向に移動案内する移動案内部を含み、任意の移動案内位置で光源ユニットが透光部から照射する状態で保持される構成とすることにより、カバー部により、光源ユニットを埃や衝撃等から保護しつつ、意匠感を良好にしうる。さらに、保持体に取付部を備えることにより、例えば、既設のショーケースに対しても簡便に着脱することができる構成を具現できる。また、移動案内部により、保持体に対して光源ユニットを移動案内させるとともに保持させることで、光源ユニットの照射方向を展示物品側に向けた状態で該光源ユニットを着脱可能に保持する保持構造を実現できる上、簡便に着脱操作を行える。
【００１４】
また、保持体は、ショーケースに設けられている横長の枠杆に対して平行状に近接離間させることにより該ショーケースに対して脱着するように構成されたことから、保持体の枠杆への近接離間操作といった簡便な操作でショーケースに着脱することができる。
【００１５】
また、取付部は、ショーケースの横長の枠杆に対する平行状の近接離間操作により嵌合する開口を有する構成とすることにより、保持体をショーケースの枠杆への近接離間操作しながら、取付部の開口を介してショーケースの枠杆に嵌合させるだけの簡便な操作で、短時間、スムーズに保持体を取り付けることができる。さらに、取付部を簡単な構造で、低コストで製造できる。
【００１６】
また、取付部とカバー部とが一体的に連結して設けられたことにより、取付作業や運搬時に取付部とカバー部とを一体的にまとめて扱えるので利便性が良いとともに、現場での作業工数が減り、スムーズに取付作業行える。
【００１７】
また、カバー部は、一つの面側に透光部を含む縦断面略平行四辺形状枠体からなる構成とすることにより、カバー部の縦断面略平行四辺形状により、取付部によるショーケースへの取り付け状態で、光源ユニットの光が展示物品側に向けて指向させつつ照射させるように自動的に設定されることとなり、取付操作及び照射方向の設定を極めて簡便に行える。さらに、カバー部を縦断面略平行四辺形状枠体に形成するだけであるので、保持体を簡単な構造で低コストで製造できる。
【００１８】
また、取付部は、ショーケースに対して上方側から嵌着状に掛止されるフック部材からなる構成とすることにより、フック部材を介してショーケースの枠杆等に上方側から引っ掛けるだけで、取付状態が維持されるので、スムーズかつ簡便に保持体を取り付けることができる。さらに、取付部の着脱構成を簡単な構造で、低コストで具現できる。
【考案を実施するための最良の形態】
【００１９】
以下、添付図面を参照しつつ本考案のショーケースへの照明装置の取付構造の実施の形態について説明する。本考案のショーケースへの照明装置の取付構造は、例えば、店頭でのショーケース内に横方向に陳列された、食品、飲料、衣服類、身飾り品等の展示物品に光をあてて照らす照明装置の取付構造である。そして、このような照明装置をショーケースへ簡便に取り付けることができる取付構造である。
【００２０】
図１ないし図９は、本発明のショーケースへの照明装置の取付構造の一実施形態を示している。図１、図２に示すように、本実施形態において、ショーケースへの照明装置の取付構造１０は、光源ユニット１２と、保持体１４と、を有する。
【００２１】
本実施形態では、図１、図２、図３に示すように、照明装置が取り付けられるショーケース６０としては、例えば、陳列される展示物品Ｍが配置される棚部６２を複数段縦に配置させ、これらの棚部６２が背面板６３（又は図示しない側面板や縦枠部材等）に支持された多段棚様のオープンショーケースとなっている。なお、図１の矢印Ｘが横方向、矢印Ｙが前後方向を示しており、矢印Ｙの矢元側を前方とし矢先側を後方としている。棚部６２は、展示物品Ｍを横方向Ｘに複数個陳列できるように横長く設けられており、互いに略平行に配置されている。本実施形態では、棚部６２は水平状に配置されているが、前方側が下方に傾斜して設けられていてもよい。各棚部６２は、展示物品Ｍの載置面を形成する横長矩形状の棚板部材６４と、該棚板部材６４を支持する枠体６５と、を含む。棚板部材６４は、例えば、ガラス等の透明素材からなる。枠体６５は、例えば、アルミニウム等の金属から形成された縦断面矩形状の複数の枠杆部材から形成されている。詳細には、枠体６５は、横方向に長く設けられた一対の長辺枠杆部材６６と、一対の短辺枠杆部材６７と、を含み、該棚板部材６４の外縁を取り囲むように横長矩形枠状に組み付けられて構成されている。長辺枠杆部材６５には、図７、図８、図９にも示すように、枠体６５の枠内側に向けて突設させた複数の支持板片６８が一体的に設けられており、これらの支持板片６８上に棚板部材６４が載置されて該棚板部材を支持している。枠体６５を形成している枠杆部材６５、６６の枠内縁部と棚板部材６４の外縁部との間には、数ｍｍ程度の隙間６９が形成されている。本実施形態では、この隙間６９を介して後述の取付部２４により照明装置が取り付けられる。本実施形態では、ショーケースを構成している棚部６２の前方側の長辺枠杆部材に照明装置が取付けられる。前方側の長辺枠杆部材６６の上面には、棚板上に陳列される展示物品Ｍの落下を防止する落下防止部材７０が横長方向に沿って立設されている。落下防止部材１６は、下方に伸びた脚部７０ａを長辺枠杆部材の上面側に形成された穴に挿入させて、着脱自在に装着される。なお、棚部６２の段数は任意でよい。また、各棚部の高さは任意に変更できるようにしても良い。また、ショーケースは、上記したものに限らず、例えば、周囲をガラス等の壁面で囲んで閉鎖した構成、一部側面又は全側面を開放した構成等その他種々の陳列用の棚、台、ゴンドラ、ワゴン、その他什器等、任意のショーケースでよい。
【００２２】
図２、図４、図５に示すように、光源ユニット１２は、展示物品Ｍに光を照射する光源としての複数の発光ダイオード１６を備えている。すなわち、光源ユニット１２は、照明装置としての機能を備えたユニット体である。本実施形態では、光源ユニット１２は、後述のように保持体１４に保持されてショーケースの各段の棚部６２に取付けられており、該取付けられた棚部６２の一段下の棚部６２及び該棚部上の展示物品Ｍに向けて光を照射するようになっている。本実施形態では、光源ユニット１２は、複数の発光ダイオード１６によりある程度の明るさ及び横長い照射範囲を確保しており、それらの発光ダイオード１６を横長方向に列状に基板１７に配置している。光源としての発光ダイオードは、大きさが小さく、発熱も低いことから、コンパクト化した照明装置を構成できるとともに、例えば、展示物品に近接した状態でも使用できる。よって設置場所が限定されにくい。さらに、消費電力が低く、耐用時間も長いので、メンテナンスが殆ど不要で、運用コストも低廉に抑えることができ、実用的かつ効果的なショーケースの照明を行える。本実施形態では、光源ユニット１２は、発光ダイオード１６の光の照射方向Ｒを一方向に指向するとともに該指向した照射方向Ｒに向けてある程度広がった照射範囲を照らすように反射する反射器１８を一体的に有している。すなわち、光源ユニット１２は、複数の発光ダイオード１６を配置した基板１７と、反射器１８と、を一体的に組み付けられてユニット化されている。反射器１８は、基板１７に配置されたそれぞれの発光ダイオード１６ごとに該発光ダイオードのからの光を拡散しながら反射するように一方側に向けて開口した拡散反射部１８１を有しており、該拡散反射部１８１の複数個を横方向に直列状に一体的に連結した横長枠状体で構成されている。拡散反射部１８１は、縦断面が照射方向側に向けて広がったテーパ状になっており、その内孔面側が反射鏡面となっている。基板１７と反射器１８とは、例えば、結束バンド２０等の索条類又は接着材、ビス等その他任意の固定手段を介して固定されている。光源ユニット１２は、基板１７に接続されたリード線１９に図示しない電源から延長された電源コードが接続される。本実施形態では、光源ユニット１２は、横長のショーケースの各段の棚部６２の長さに対応するように３個が横長方向に直列状に接続されており、保持体１４により保持される。
【００２３】
図１、図２、図６に示すように、保持体１４は、ショーケース６０に対して外付け着脱可能に取り付けられるとともに、光源ユニット１２を着脱自在に保持する保持手段である。さらに、保持体１４は、光源ユニット１２の照射方向Ｒを展示物品Ｍ側に向けた状態で保持し照射方向Ｒを設定する照射方向保持手段である。本実施形態では、保持体１４は、光源ユニット１２のカバー部２２と、ショーケース６０に対して外付け着脱可能な取付部２４と、を有している。
【００２４】
図２、図６、図９に示すように、カバー部２２は、例えば、両端を開口した中空の横長筒状体からなる。詳細には、両端側に光源ユニット１２を内部へ挿入させる挿入開口２６を有し、一つの面側に該挿入開口２６から挿入された光源ユニット１２の光を外部に通過させる透光部２８が設けられた横長筒状体からなる。このカバー部２２は、光源ユニット１２を内部に収容して保持する保持機能を有しており、該ユニットの周囲を覆って該光源ユニット１２の埃や衝撃等からの保護や外観意匠をよくする。本実施形態では、カバー部２２は、例えば、アルミニウム等の金属で形成されており、長辺枠杆部材６６の横長さと略同じ程度の長さで設けられている。さらに、カバー部２２は、互いに平行で縦に位置ズレしながら対向した前後縦壁３１、３２と、該前後縦壁３１、３２の上下端部を前方側へ下り傾斜状に接続するとともに互い平行に対向した上下斜壁３３、３４と、を含み、これらの４壁面で形成される縦断面平行四辺形状枠体からなる。
【００２５】
カバー部２２は、後縦壁３２に取付部２４が接続されており、該後縦壁３２を鉛直状に立てた状態で長手方向を水平（横方向Ｘ）に向け、ショーケースの枠杆部材６６と平行状に配置された状態で該枠杆部材６６に近接して取り付けられる。図７にも示すように、下斜壁３４には、横長方向に沿って一端から他端まで連続しつつカバー部の内外を連通しするように壁面の一部を開口した横長開口が設けられている。この横長開口が透光部２８となっており、保持した光源ユニット１２からの光を展示物品Ｍに向けて照射させる。本実施形態では、図２に示すように、下斜壁３４と後縦壁３２との間の角度は、取付部２４を介して該後縦壁側がショーケースの枠杆部材に近接配置された状態で、該下斜壁３４の面すなわち透光部２８が設けられた面がその一つ下段の棚板部材側に向くように設定されている。これにより、取付部２４を介して保持体１４をショーケースの棚部６２に取り付けるだけで、光源ユニット１２の照射方向Ｒを斜め下方に向けて一つ下段の棚部６２上の展示物品Ｍを確実かつ効果的に照射するように自動的に設定される。その結果、取付作業を簡便に行える。透光部２８としての横長開口の幅は、光源ユニットの幅よりも小さく設定されており、該横長開口から光源ユニットが離脱しないようになっている。さらに、下斜壁３４には、横長開口の縁部に沿って移動案内部３０が設けられている。
【００２６】
移動案内部３０は、挿入開口２６を介して光源ユニット１２を長手方向に沿って挿入させる際に該光源ユニット１２を長手方向に移動案内する案内部である。同時に、任意の移動案内位置で光源ユニット１２が透光部２８から光を照射する状態で該光源ユニット１２を保持する保持体１２の具体的な保持部である。この移動案内部３０により光源ユニット１２を着脱可能に保持する構成を簡単な構造で実現している。本実施形態では、移動案内部３０は、図２、図６、図９に示すように、下斜壁３４の横長開口の両縁側に沿って対向配置されるとともにカバー部の内側に突設された一対のユニット受片３６を有している。さらに下斜壁３４の横長開口縁部付近とユニット受片３６との間には、縦断面照射方向側に向けて広がるテーパ状の外形輪郭となる反射器１８の縁部１８ａを横長方向に向けて嵌合状に受け入れるように、横長方向に沿って長く形成される嵌合受部３６ａが形成されている。すなわち、下斜壁３４及びユニット受片３６と、光源ユニットの反射器１８と、が横長方向へスライド移動自在なスライド機構を構成している。移動案内部３０は、光源ユニット１２を横長方向にのみ移動させるようになっている。したがって、移動案内部３０は、下斜壁３４とユニット受片３６により、光源ユニット１２を斜壁の傾斜面方向（ユニットの幅方向）及び開口の貫通方向（ユニットの高さ方向）への動きを規制しながら該光源ユニット１２の照射方向を設定した状態で位置保持する。
【００２７】
カバー部２２の両端の挿入開口２６は、光源ユニットを挿入した後にカバー部の縦断面形状の外形輪郭と同一の外形輪郭をもつ平行四辺形状の蓋部材４０により閉鎖される。蓋部材４０は、ビス４１を介して、カバー部に一体的に設けられているビス受４３に固定される。なお、光源ユニットに接続される図示しない電源コードは、カバー部２２の一部に孔を設けたり、透光部となる開口の端部側等を介して外部に引き出されて電源に接続される。
【００２８】
図２、図６、図８に示すように、本実施形態では、取付部２４は、カバー部２２の長手方向に離隔して配置され該カバー部２２に連結された複数個のフック部材４２を含む。フック部材４２は、下方側を開口４４させた逆Ｕ字状の金属板片部材からなり、該開口４４を介してショーケースの長辺枠杆部材６６に対して上方側から嵌合状に掛止できるようになっている。フック部材４２は、縦に略平行状に対向する縦板片材のうち一片側をカバー部の後縦壁３２に溶接、ビス等その他の任意の連結手段を介して一体的に固定されている。フック部材４２の他方の縦板片材４２ａは、枠杆部材６６の厚さより長く設けられている。本実施形態では、保持体１４をショーケースの枠杆部材６６に取り付ける際には、図８、図９に示すように、作業者がカバー部２２を横長状態で手でもち、枠杆部材６６と略平行に保持した状態で該枠杆部材６６に上方側から近接させる。そして、フック部材４２の下向き開口４４と枠杆部材６６との位置を合わせ、棚板部材６４と枠杆部材６６との間の隙間６９にフック部材４２の縦板片材４２ａを挿入しながら、カバー部と枠杆部材とを略平行状にした状態でカバー部材を下方に平行状に移動させて、フック部材の開口４４を枠杆部材６６に嵌着させる。すなわち、ショーケースの横長の枠杆に対する略平行状の近接操作により取付部の開口４４を介して嵌合させることにより、簡便に取り付けることができる。一方、例えば、メンテナンスや照明の不要時に取り外す際には、上記とは逆の操作で保持体をショーケースの枠杆部材に対して上方に向けて平行状に離間移動することにより、簡便に取り外すことができる。なお、本実施形態では、取付部２４には、フック部材４２の上方側への離脱を防止して、取付状態を強固に保持するために、枠杆部材６６の下方側からあれがわれるＬ字片４６が組み付けられている。Ｌ字片４６は、フック部材の縦板片材４２ａにネジ４７、ナット４８を介して固定される。このＬ字片４６は必要に応じて取り付けると良い。なお、取付部２４は、上記のようなフック部材に限らず、例えば、枠杆部材６６をバネ等の弾性力やボルトの螺進退を介して挟持する挟持片を介して取り付けるクランプ構成や、ショーケースの縦枠等に取り付ける構成等その他任意の構成でよく、簡便な操作で脱着できるものが好適である。
【００２９】
以上説明した本考案のショーケースへの照明装置の取付構造は、上記した実施形態のみの構成に限定されるものではなく、実用新案登録請求の範囲に記載した本考案の本質を逸脱しない範囲において、任意の改変を行ってもよい。
【産業上の利用可能性】
【００３０】
本考案のショーケースへの照明装置の取付構造は、例えば、店頭、展示場等において、飲食物、衣類、アクセサリ、その他の商品、展示物品等をライトアップする際に好適に用いられる。
【図面の簡単な説明】
【００３１】
【図１】本考案の実施形態に係るショーケースへの照明装置の取付構造の概略を示すショーケースの概略斜視図である。
【図２】図１の縦断面の一部拡大説明図である。
【図３】図１の一部拡大側面図である。
【図４】光源ユニットの側面図である。
【図５】光源ユニットの照射面側から見た一部省略説明図である。
【図６】保持体の側面図である。
【図７】Ａ−Ａ線矢視の一部省略拡大説明図である。
【図８】ショーケースの一部及び照明装置の取付構造の一部を示した分解側面図である。
【図９】ショーケースの一部及び照明装置の取付構造の一部を示した分解斜視説明図である。
【符号の説明】
【００３２】
１０    照明装置の取付構造
１２    光源ユニット
１４    保持体
１６    発光ダイオード
１７    基板
２２    カバー部
２４    取付部
２６    挿入開口
２８    透光部
３０    移動案内部
４２    フック部材
４４    開口
６０    ショーケース
６６    枠杆部材
Ｍ    展示物品
Ｒ    照射方向
【図１】
0003125239.tif 000003
【図２】
0003125239.tif 000004
【図３】
0003125239.tif 000005
【図４】
0003125239.tif 000006
【図５】
0003125239.tif 000007
【図６】
0003125239.tif 000008
【図７】
0003125239.tif 000009
【図８】
0003125239.tif 000010
【図９】
0003125239.tif 000011